(57)【要約】【課題】色覚異常者であっても判別・視認しやすい通行案内表示部を実現することができる自動改札機を提供する。【解決手段】この自動改札機は、両方向通行または片側通行の改札通路１１を有し、改札機本体１０Ａ，１０Ｂの入口側端面に、例えば緑色の進入可記号１２Ａと例えば赤色の進入不可記号１２Ｂのうちのいずれか一方を条件に応じて電気的に選択し発光表示する通行案内表示部１２を設け、進入可記号の表示位置と進入不可記号の表示位置を異ならせる、または進入可記号の表示面積と進入不可記号の表示面積を異ならせるように構成される。【選択図】図３
2012230613.tif 000002
【特許請求の範囲】
【請求項１】
機械本体の入口側端面に、進入可記号と進入不可記号のうちのいずれか一方を条件に応じて電気的に選択し発光表示する通行案内表示部を設けた自動改札機において、
前記進入可記号の表示位置と前記進入不可記号の表示位置を異ならせたことを特徴とする自動改札機。
【請求項２】
機械本体の入口側端面に、進入可記号と進入不可記号のうちのいずれか一方を条件に応じて電気的に選択し発光表示する通行案内表示部を設けた自動改札機において、
前記進入可記号の表示面積と前記進入不可記号の表示面積を異ならせたことを特徴とする自動改札機。
【請求項３】
前記進入可記号の表示面積を前記進入不可記号の表示面積の一部としたことを特徴とする請求項２記載の自動改札機。
【請求項４】
前記進入可記号または前記進入不可記号を表示するとき、表示された記号の表示領域の縁部を前記進入可記号および前記進入不可記号とは異なる色で発光表示することを特徴とする請求項１〜３のいずれか１項に記載の自動改札機。
【請求項５】
前記縁部の前記色は白色であることを特徴とする請求項４記載の自動改札機。
【発明の詳細な説明】
【技術分野】
【０００１】
本発明は自動改札機に関し、特に、色覚異常者にとって判別視認性が良好な通行案内表示部を備えた自動改札機に関する。
【背景技術】
【０００２】
駅の改札口に設置された自動改札機であって例えば両方向への通行が可能な自動改札機においては、旅客（鉄道利用者）が自動改札機を利用して改札通路を通行するとき、当該自動改札機における機械本体の入口側端面に設けられた通行案内表示部の表示内容に基づいて通行の可否を判別する必要がある。反対側から既に旅客が改札通路に進入している場合があるからである。図６に、現在使用されている従来の通行案内表示部で表示される記号の代表例を示す。図６の（Ａ）において、記号１０１は進入が可であり通行することが許可されることを示す表示記号であり、図６の（Ｂ）において記号１０２は進入が不可であり通行することが禁止されることを示す表示記号である。記号１０１は矢印の示す方向に進入して通行することができるということを直感的にイメージされるように示し、記号１０２は×印で通行することが禁止されることを直感的にイメージされるように示している。２つの記号１０１，１０２は、ほぼ正方形の発光表示面（ドット表示領域部）を有する１つの電気的表示装置１０３を共通的に利用し、表示内容を状況に応じて選択的に切り換え、発光表示させて使用している。いずれの記号１０１，１０２の場合にも同じ共通の同じ電気的表示装置１０３を利用するので、表示される記号の高さ位置は同じであり、単に表示される記号が色を異ならせて表示されるだけである。表示色については、通常的に、記号１０１の場合には矢印部分１０１ａの全体は緑色でありかつ背景部分１０１ｂは黒色であり、他方、記号１０２の場合には×印部分１０２ａは赤色でありかつ背景部分１０２ｂは黒色である。
【０００３】
関連する従来技術として特許文献１に記載された指示標識灯が存在する。この指示標識灯は、交通管制灯に適し、すべての人に安定した指示を行え、さらに色弱者に対して指示内容を適切に伝えることができるように工夫された指示標識灯である。この指示標識灯は、単色のＬＥＤを使用することを条件として、３種類の色（緑色、黄色、赤色）からなる単色の１つのＬＥＤを１つの指示面の中に均一に集合させて使用し、当該ＬＥＤを点灯時間を連続させず、消灯による冷却時間を点灯の間に持つことでＬＥＤチップを封入する樹脂等の熱劣化による光透過率の低下を少なくしている。表示灯は１つの灯として形成され、指示標識の面積を大きくし、色弱者にも有効に配慮されている。
【先行技術文献】
【特許文献】
【０００４】
【特許文献１】特開２００８−１２３０２５号公報
【発明の概要】
【発明が解決しようとする課題】
【０００５】
両方向通行が可能な改札通路または片側通行の改札通路を備えた自動改札機において入口側に設けられていた従来の通行案内表示部は、特定の色覚異常者にとってはその内容の判別を視認しづらいという問題があった。すなわち、先天的赤緑色覚異常の場合には、赤色と緑色の区別が困難であり、通行案内表示部の形や設置位置が同じであって色だけが異なるだけでは非常に判別しづらく、不十分な案内であった。このため、当該色覚異常者にとっては通行すべきか迷ったり、進入禁止の記号１０２が表示されているにもかかわらず、改札通路に進入し、例えば両方向通行の改札通路では反対側から進入してきた旅客と衝突するという懸念があった。
【０００６】
本発明の目的は、上記の課題に鑑み、特に色覚異常者、さらに健常者であっても判別・視認しやすい通行案内表示部を実現することができる自動改札機を提供することにある。
【課題を解決するための手段】
【０００７】
本発明に係る自動改札機は、上記の目的を達成するため、次のように構成される。
【０００８】
第１の自動改札機（請求項１に対応）は、両方向通行または片側通行の改札通路を有し、機械本体の入口側端面に、例えば緑色の進入可記号と例えば赤色の進入不可記号のうちのいずれか一方を条件に応じて電気的に選択し発光表示する通行案内表示部を設けた自動改札機であって、進入可記号の表示位置と進入不可記号の表示位置を異ならせるように構成される。
【０００９】
第２の自動改札機（請求項２に対応）は、両方向通行または片側通行の改札通路を有し、機械本体の入口側端面に、例えば緑色の進入可記号と例えば赤色の進入不可記号のうちのいずれか一方を条件に応じて電気的に選択し発光表示する通行案内表示部を設けた自動改札機であって、進入可記号の表示面積と進入不可記号の表示面積を異ならせるように構成される。
【００１０】
第３の自動改札機（請求項３に対応）は、上記の構成において、好ましくは、進入可記号の表示面積を進入不可記号の表示面積の一部としたことを特徴とする。
【００１１】
第４の自動改札機（請求項４に対応）は、上記の構成において、好ましくは、進入可記号または進入不可記号を表示するとき、表示された記号の表示領域の縁部を上記の進入可記号および進入不可記号とは異なる色で発光表示することを特徴とする。
【００１２】
第５の自動改札機（請求項５に対応）は、上記の構成において、好ましくは、縁部の色は白色であることを特徴とする。
【発明の効果】
【００１３】
本発明に係る自動改札機によれば、両方向通行または片側通行の改札通路を有し、機械本体の入口側端面に、例えば緑色の進入可記号と例えば赤色の進入不可記号のうちのいずれか一方を条件に応じて電気的に選択し発光表示する通行案内表示部を設けるようにした構成において、進入可記号の表示位置と進入不可記号の表示位置を異ならせる、または進入可記号の表示面積と進入不可記号の表示面積を異ならせるようにしたため、色覚異常者、さらに健常者であっても判別・視認しやすい通行案内表示部を実現することができる。
さらに、本発明に係る自動改札機によれば、進入可記号または進入不可記号を表示するとき、表示された記号の表示領域の縁部を白等の上記の進入可記号および進入不可記号とは異なる色で発光表示するため、特に特定の色覚異常者にとって判別・視認しやすい通行案内表示部を実現することができる。
【図面の簡単な説明】
【００１４】
【図１】自動改札機の一例を示す斜視図である。
【図２】自動改札機における通行案内表示部に関係するシステムの構成図である。
【図３】本発明の実施形態に係る自動改札機の通行案内表示部の第１の表示例（進入可（Ａ）、進入不可（Ｂ））を示す図である。
【図４】本発明の実施形態に係る自動改札機の通行案内表示部の第２の表示例（進入可（Ａ）、進入不可（Ｂ））を示す図である。
【図５】表示記号の他の例（進入可（Ａ）、進入不可（Ｂ））を示す図である。
【図６】従来の自動改札機における通行案内表示部の表示例（進入可（Ａ）、進入不可（Ｂ））を示す図である。
【発明を実施するための形態】
【００１５】
以下に、本発明の好適な実施形態（実施例）を添付図面に基づいて説明する。
【００１６】
図１を参照して自動改札機について説明する。自動改札機は駅の改札口に設置される機械で、入出場管理を行うゲート装置の代表例である。この自動改札機１０は駅の改札口に設けられ、改札通路１１を形成する平行に設置された一対の改札機本体１０Ａ，１０Ｂによって構成されている。改札機本体１０Ａ，１０Ｂの間には、通常、１人の旅客のみが通行できる通路幅を有する上記の改札通路１１が形成される。この自動改札機１０の改札通路１１では、好ましくは両方向に通行することができる構成を有している。なお自動改札機１０において改札通路１１は片側通行として構成されていてもよい。改札通路１１の両端部は、一方が入口となれば他方が出口になるように設定される。両方向通行の場合、改札通路１１の一方の端部から１人の旅客が進入すれば、他方の端部は出口として機能する。このため、他の旅客は、この他方の端部から改札通路１１に進入することができず、改札通路１１の通行が禁止されることになる。そのため、自動改札機１０の両端部の各々には通行案内表示部１２が設けられている。自動改札機１０において、図１中、右側の改札機本体１０Ａには図中手前側端面１０Ａ−１に通行案内表示部１２が設けられ、左側の改札機本体１０Ｂには図中反対側（向こう側）の端面に通行案内表示部１２が設けられている。なお、自動改札機１０の各改札機本体１０Ａ，１０Ｂでは、入口側にＩＣカードタッチ部１３が備えられ、出口側に表示部１４が備えられ、さらに両端部の内壁面に不正通行者の通行を阻止するための開閉ドア１５等が備えられている。
【００１７】
図２を参照して、上記の通行案内表示部１２に関係するシステムの構成について説明する。自動改札機１０では、改札通路１１を通行する旅客の通行を制御する構成として、制御部１６を備えている。制御部１６はＣＰＵと記憶部等を含むマイコンによって構成される。制御部１６は、通常に、２台の改札機本体１０Ａ，１０Ｂの各々の入口側のＩＣカードタッチ部１３における優先的なタッチ操作状態に係る情報に基づいて、当該入口側に対応する出口側における改札機本体１０Ａ，１０Ｂの各々の通行案内表示部１２の発光表示動作を制御するための通行制御機能を有している。このため、制御部１６の記憶部には通行制御プログラム、およびこれに関連した通行案内表示制御プログラムが実装される。
【００１８】
図２に示すように、自動改札機１０を構成する一対の改札機本体１０Ａ，１０Ｂの各々は通行案内表示部１２を有する。さらに各通行案内表示部１２は、通行が可能であることを意味する「進入可」の記号（進入可記号１２Ａ）に係る発光表示部と、通行が禁止されていることを意味する「進入不可」の記号（進入不可記号１２Ｂ）に係る発光表示部とを有している。ただし、図２では説明の便宜上、各通行案内表示部１２において進入可記号１２Ａと進入不可記号１２Ｂの両方が示されているが、実際の動作状態では、各通行案内表示部１２は進入可記号１２Ａと進入不可記号１２Ｂのうち条件に応じていずれか一方を表示するように制御される。通行案内表示部１２は、後述するように、例えば少なくとも緑色発光、赤色発光、白色発光を生じる所要数のＬＥＤ素子を所定の表示パターンを形成するように配列して構成されたドット表示領域部であり、各改札機本体１０Ａ，１０Ｂの入口側端面部の平面領域で電気的に発光表示作用を生じる機能を有している。
【００１９】
具体的に説明する。自動改札機１０の改札通路１１の両端部の進入口のいずれにも旅客が進入しないときには、２台の改札機本体１０Ａ，１０Ｂのいずれの通行案内表示部１２においても「進入可」の記号１２Ａ）が発光表示されている。
【００２０】
次に自動改札機１０において、例えば、図１中の反対側（向こう側）の改札通路１１の端部（入口側）から旅客が進入して携帯所持する非接触ＩＣカードを改札機本体１１ＢのＩＣカードタッチ部１３にタッチすると、そのタッチ信号を受信した制御部１６は、改札機本体１０Ａにおける出口側に対応する端部の通行案内表示部１２で「進入可」の記号１２Ａの発光表示を消し、「進入不可」の記号１２Ｂを発光表示させる。
【００２１】
反対に、自動改札機１０において、図１中の手前側の改札通路１０Ａの端部から、「進入可」の記号１２Ａが表示されていることを条件に、旅客が進入して携帯所持する非接触ＩＣカードを改札機本体１０ＡのＩＣカードタッチ部１３にタッチすると、そのタッチ信号を受信した制御部１６は、改札機本体１０Ｂにおける出口側に対応する端部の通行案内表示部１２において「進入不可」の記号１２Ｂを発光表示させる。
【００２２】
次に通行案内表示部１２のおける第１の表示例を図３を参照して説明する。図３において（Ａ）は「進入可」の記号１２Ａの表示例を示し、（Ｂ）は「進入不可」の記号１２Ｂの表示例を示している。
【００２３】
「進入可」の記号１２Ａの表示例（Ａ）では、通行案内表示部１２のドット表示領域部２１は、改札機本体１０Ａ（１０Ｂ）の入口側端面２２においてその上下の長手方向に沿って設けられ、そして通行案内表示部１２のドット表示領域部２１において上側の位置にほぼ正方形の「進入可」の記号１２Ａの表示領域２３（図３の（Ｂ）に示す）が設定されている。表示領域２３において「進入可」の記号（矢印）１２Ａは複数のＬＥＤ素子によって矢印部分１２Ａ−１は例えば緑色（背景部分１２Ａ−２は例えば黒色）に発光表示する。また「進入可」の記号１２Ａの表示領域２３の縁部を形成するほぼ正方形の枠領域２４を複数のＬＥＤ素子により好ましくは白色に発光表示させている。ドット表示領域部２１において、「進入可」の記号１２Ａの表示領域２３の下側には「進入不可」の記号１２Ｂの表示領域２５が設定されているが、表示例（Ａ）の場合にはこの表示領域２５は消灯状態にある。
【００２４】
「進入不可」の記号１２Ｂの表示例（Ｂ）では、上記の通行案内表示部１２のドット表示領域部２１において下側の位置にほぼ正方形の「進入不可」の記号１２Ｂの上記の表示領域２５が設定されている。表示領域２５において「進入不可」の記号（×印）１２Ｂは複数のＬＥＤ素子によって×印部分１２Ｂ−１は例えば赤色（背景部分１２Ｂ−２は例えば黒色）に発光表示する。また「進入不可」の記号１２Ｂの表示領域２５の縁部を形成するほぼ正方形の枠領域２６を複数のＬＥＤ素子により好ましくは白色に発光表示させている。ドット表示領域部２１において、上側の位置に設定された「進入可」の記号１２Ａの表示領域２３は表示例（Ｂ）の場合には消灯状態にある。
【００２５】
上記の通り、図３に示した表示例によれば、１色覚または２型２色覚（赤と青の区別が困難）の色覚異常を有する旅客であっても、自動改札機１０の改札通路１１の入口部において、通行案内表示部１２のドット表示領域２１における「進入可」の記号１２Ａの発光表示場所と「進入不可」の記号１２Ｂの発光表示場所を上下で異ならせるようにしたため、利用の可否の判別が極めて分かりやすくなる。また１型２色覚（赤色認識不可）の色覚異常を有する旅客であっても、枠領域２４，２６によって白色発光表示を行っているため、利用の可否の判別が極めて分かりやすい。
【００２６】
次に通行案内表示部１２のおける第２の表示例を図４を参照して説明する。図４において、上記の図３と同様にして、（Ａ）は「進入可」の記号１２Ａの表示例を示し、（Ｂ）は「進入不可」の記号１２Ｂの表示例を示している。
【００２７】
「進入可」の記号１２Ａの表示例（Ａ）では、通行案内表示部１２のドット表示領域部３１は、改札機本体１０Ａ，１０Ｂの入口側端面２２においてその上下の長手方向に沿って設けられ、そして通行案内表示部１２のドット表示領域部３１において最上位の一部の箇所にほぼ正方形の「進入可」の記号１２Ａの表示領域２３（図３の（Ｂ）に示された表示領域２３と同じ）が設定されている。図３に示したドット表示領域部２１に比較して、ドット表示領域部３１はより長く形成され、ほぼ１．５倍程度の長さになっている。
【００２８】
上記の表示領域２３において「進入可」の記号（矢印）１２Ａは、図３の表示例（Ａ）の場合と同様に、複数のＬＥＤ素子によって矢印部分１２Ａ−１は例えば緑色（背景部分１２Ａ−２は例えば黒色）に発光表示する。また「進入可」の記号１２Ａの表示領域２３の縁部を形成する正方形の枠領域２４を複数のＬＥＤ素子により好ましくは白色に発光表示させている。
【００２９】
「進入不可」の記号１２Ｂの表示例（Ｂ）では、上記の通行案内表示部１２のドット表示領域部３１において、その全体の面積領域からなる表示領域３２（ドット表示領域部３１と実質的に同じ面積の領域）で、縦方向に並んだ３つ分の「進入不可」の記号（×印）１２Ｂの発光表示が行われる。この表示領域３２では、３つ分の「進入不可」の記号（×印）１２Ｂの各々は複数のＬＥＤ素子によって×印部分１２Ｂ−１は例えば赤色（背景部分１２Ｂ−２は例えば黒色）に発光表示する。また「進入不可」の記号１２Ｂの表示領域３２の縁部を形成する長方形の枠領域３３を複数のＬＥＤ素子により好ましくは白色に発光表示させている。ドット表示領域部３１において、上側の位置に設定された「進入可」の記号１２Ａの表示領域２３は表示例（Ｂ）の場合には表示されない状態にある。
【００３０】
上記の通り、図４に示した第２の表示例によれば、前述した図３の第１の表示例で説明した利点に加えて、さらに、通行案内表示部１２のドット表示領域部３１の一部（表示領域２３）で「進入可」の記号１２Ａの発光表示し、かつ当該ドット表示領域部３１の全部（表示領域３２）で「進入不可」の記号１２Ｂの発光表示するために、表示位置および表示面積の差異によって視覚異常の旅客が利用の可否を判別しやすくなるという利点も有する。
【００３１】
図５に表示記号の他の例（進入可（Ａ）、進入不可（Ｂ））を示す。「進入可」の記号としては一方通行を意味する記号４１が用いられる。記号４１の要部の発光色は例えば赤であり、背景色は例えば黒である。また「進入不可」の記号としては、矢印の向きを変えた記号４２，４３または○形状の記号４４が用いられる。記号４２〜４４の要部（矢印、円環）発光色は例えば緑で、背景色は例えば黒である。
【００３２】
以上の実施形態で説明された構成、形状、大きさおよび配置関係等については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
例えば、上記の実施形態で説明された各色（緑、赤、白等）については、状況に応じて最も効果が生じるように任意に変更することもできる。
また上記の実施形態では駅に設置された自動改札機について説明したが、本発明の特徴的部分は、自動改札機と実質的に同一の機能を有する入出場管理を行うためのゲート装置に対して適用することができる。
【産業上の利用可能性】
【００３３】
本発明に係る自動改札機は、両方向通行可能な改札通路または片側通行の改札通路を有する自動改札機において、改札通路の両端部の入口に設けられた通行案内表示部で進入可の記号と進入不可の記号の表示態様を、表示位置の相違、表示位置と表示面積の相違、および表示領域縁に白色発光枠を設けるようにして色覚異常を有する旅客にとって判別性を高めるのに利用される。
【符号の説明】
【００３４】
１０            自動改札機
１１            改札通路
１０Ａ，１０Ｂ  改札機本体
１２            通行案内表示部
１２Ａ          進入可記号
１２Ｂ          進入不可記号
１３            ＩＣカードタッチ部
１４            表示部
１５            開閉ドア
１６            制御部
２１            ドット表示領域部
２２            入口側端面
２３            表示領域
２４            枠領域
２５            表示領域
２６            枠領域
３１            ドット表示領域部
３２            表示領域
３３            枠領域
４１〜４４      記号
【図１】
2012230613.tif 000003
【図２】
2012230613.tif 000004
【図３】
2012230613.tif 000005
【図４】
2012230613.tif 000006
【図５】
2012230613.tif 000007
【図６】
2012230613.tif 000008